(57)【要約】      （修正有）【課題】電池電圧が低下した時に電池電圧を昇圧させることで、電池の交換時期となった場合でも正常な動作を行うことができる住宅火災警報器を提供する。【解決手段】住宅火災の火災を感知する住宅火災警報器において、火災警報器には、煙に光を照射させる発光構成部と、煙によって散乱された光を受光する受光構成部と、住宅火災警報器を駆動する電池と、住宅火災警報器を制御するＣＰＵを備えており、発光構成部には、発光素子を発光させる発光部と、電池から供給される電池電圧を検出する電圧監視部と、電池電圧が低下した時に電池電圧を昇圧させるための昇圧部を備える。【選択図】図１
2009205583.tif 000002
【特許請求の範囲】
【請求項１】
住宅火災の火災を感知する住宅火災警報器において、
前記火災警報器には、煙に光を照射させる発光構成部（１０）と、煙によって散乱された光を受光する受光構成部（２０）と、前記住宅火災警報器を駆動する電池（４０）と、前記住宅火災警報器を制御するＣＰＵ（３０）を備えており、
前記発光構成部には、発光素子を発光させる発光部（１０４）と、前記電池から供給される電池電圧を検出する電圧監視部（１０１）と、前記電池電圧が低下した時に前記電池電圧を昇圧させるための昇圧部（１０２）を備えたことを特徴とする住宅火災警報器。
【発明の詳細な説明】
【技術分野】
【０００１】
本発明は、住宅火災警報器の電池電圧が低下し電池寿命が短くなった時でも正常に動作させることができる住宅火災警報器に関する。
【背景技術】
【０００２】
従来から、住宅火災感知器は煙等の火災要因を検知する検出する手段がとられており、その検知手段で検知された検出値が所定の閾値を超えた場合に火災を判断して、警報音による音響鳴動によって警報を行うものとして知られている。
これらの機器には電池で駆動されており、電池電圧が低下し電池寿命が短くなった時にでも動作できるように、ブザー等を鳴らすことで交換時期を知らせる機能を有している。
【特許文献１】特開平５−９２８９２
【発明の開示】
【発明が解決しようとする課題】
【０００３】
しかしながら、電池の交換時期を知らせている状況下で煙を感知した場合、電池電圧の低下により正常に警報動作できない状況となる虞がある。
【０００４】
そこで、本発明は、電池電圧が低下した時に電池電圧を昇圧させることで、電池の交換時期となった場合でも正常な動作を行うことができる住宅火災警報器を提供する。
【課題を解決するための手段】
【０００５】
前述の目的を達成するため、住宅火災の火災を感知する住宅火災警報器において、火災警報器には、煙に光を照射させる発光構成部と、煙によって散乱された光を受光する受光構成部と、住宅火災警報器を駆動する電池と、住宅火災警報器を制御するＣＰＵを備えており、発光構成部には、発光素子を発光させる発光部と、電池から供給される電池電圧を検出する電圧監視部と、電池電圧が低下した時に電池電圧を昇圧させるための昇圧部を備えたことを特徴とする。
【発明の効果】
【０００６】
本発明の火災警報器によれば、電池寿命が短くなった時にでも、正常な警報発報を行うことができる。
【発明を実施するための最良の形態】
【０００７】
以下、本発明の住宅火災警報器を適用した好ましい形態の実施例について図面を参照して説明する。
【０００８】
図１には、住宅火災警報器のブロック図を示している。
本発明の住宅火災警報器１は、住宅火災警報器１の内部に侵入した煙に向かって光を照射させるための発光構成部１０と、煙によって散乱された光を受光するための受光構成部２０と、住宅火災警報器１を駆動するための電池４０と、住宅火災警報器１を制御するためのＣＰＵ３０を備えている。
【０００９】
図２は発光構成部のブロック図を示している。
発光構成部１０は、発光素子によって構成された発光部１０４と、電池電圧の低下を監視する電圧監視部１０１と、電圧監視部１０１で電池電圧が所定一以下と判定された場合に、電池電圧を昇圧させる昇圧部１０２と、発光部１０４に一定の電流を供給するための定電流源部１０５とで構成されている。
【００１０】
電圧監視部１０１は、抵抗Ｒ１、Ｒ２で構成され、昇圧部１０２は、抵抗Ｒ３、Ｒ４、Ｒ５、Ｒ６、ダイオードＤ１、トランジスタＴｒ１、コンデンサＣ１、Ｃ２から構成され、定電流源部１０５は、トランジスタＴｒ２、Ｔｒ３と抵抗Ｒ７で構成される。
【００１１】
次に住宅火災警報器１の接続関係を説明する。電池４０の陽極は、抵抗Ｒ１、Ｒ３の一端に接続され、抵抗Ｒ１の他の一端には、ＣＰＵ３０、抵抗Ｒ２の一端に接続される。抵抗Ｒ３の一端からは、抵抗Ｒ４、コンデンサＣ１の陽極と、ダイオードＤ１のアノード、トランジスタＴｒ１のエミッタに接続される。抵抗Ｒ４のその他の一端には、抵抗Ｒ５の一端、トランジスタＴｒ１のベースに接続され、抵抗Ｒ５のその他の一端はＣＰＵ３０に接続される。トランジスタＴｒ１のコレクタは、抵抗Ｒ６の一端、コンデンサＣ２の陰極に接続され、コンデンサＣ２の陽極は、ダイオードＤ１のカソード、発光部１０４に接続される。また、発光部１０４のその他の一端は、トランジスタＴｒ２のコレクタに接続される。ＣＰＵ３０は、トランジスタＴｒ２のベース、Ｔｒ３のコレクタに接続され、トランジスタＴｒ２のエミッタは、トランジスタＴｒ３のベース、抵抗７の一端に接続される。電池４０の陰極、トランジスタＴｒ３のエミッタ、抵抗Ｒ２、Ｒ６、Ｒ７のその他の一端は、ＧＮＤに接続される。
【００１２】
次に、住宅火災警報器の電池電圧が正常値の時の動作説明を行う。
電池４０の電池電圧が正常である場合、電圧監視部１０１の抵抗Ｒ２の両端電圧を検出して、電池４０が正常電圧と判断され、ＣＰＵ３０から抵抗Ｒ５へ、ＬＯＷレベルの昇圧信号Ｓ１を出力する。すると、電池４０から抵抗Ｒ３、Ｒ４、Ｒ５を介して電池電圧が供給される。予め、抵抗Ｒ３、Ｒ４、Ｒ５は、昇圧信号Ｓ１がＬＯＷレベルの時に、抵抗Ｒ４の両端電圧が０．７Ｖ以下となるよう設計が成されている。従って、抵抗Ｒ４の両端電圧が０．７Ｖ以下であるため、トランジスタＴｒ１がＯＦＦ状態となる。すると、電池４０からの電源は、抵抗Ｒ３、ダイオードＤ１を介して発光部１０４に供給される。また、発光部１０４を間欠点灯させるために、ＣＰＵ３０から定電流源部１０５のトランジスタＴｒ２のベースにパルス状の駆動信号Ｓ２を出力している。
【００１３】
ここで、定電流源部１０５の動作説明を行う。駆動信号Ｓ２のパルス信号がＨＩＧＨレベルの時には、トランジスタＴｒ２のベース‐エミッタ間が０．７Ｖ以上となるため、ＯＮ状態となる。すると、抵抗Ｒ７の両端電圧が０．７Ｖ以上となり、トランジスタＴｒ３がＯＮ状態となる。このとき、トランジスタＴｒ３がＯＮ状態となることによって、トランジスタＴｒ２のベース‐エミッタ間が０．７Ｖ以下となり、トランジスタＴｒ２がＯＦＦ状態になろうとする。すると、抵抗Ｒ７の両端電圧が０．７以下となり、トランジスタＴｒ３がＯＦＦ状態になろうとする。このような動作が繰り返され最終的に、抵抗Ｒ７の両端電圧０．７Ｖの状態でトランジスタＴｒ２，Ｔｒ３が安定状態となる。従って、抵抗Ｒ７の両端電圧が０．７Ｖと一定となり、Ｒ７に流れる電流、つまり発光部１０４に流れる電流も一定となる。よって、発光部１０４にて一定の光量で発光させることができる。駆動信号Ｓ２がＬＯＷレベルの時には、トランジスタＴｒ２のベース‐エミッタ間が０．７Ｖ以下、つまりＯＦＦ状態となるため、発光部１０４は消灯される。従って、パルス状の駆動信号Ｓ２によって、発光部１０４は間欠発光動作を繰り返すこととなる。
【００１４】
次に住宅火災警報器の電池電圧が低下した時の動作説明を行う。
電池４０の電圧が低下した場合、電圧監視部１０１の抵抗Ｒ２の両端電圧を検知して、電池４０の寿命が短いと判断され、ＣＰＵ３０から抵抗Ｒ５へ昇圧信号Ｓ１、駆動信号Ｓ２と逆相のパルス信号を出力する。つまり、昇圧信号Ｓ１がＨＩＧＨレベルの時に駆動信号Ｓ２はＬＯＷレベル、昇圧信号Ｓ１がＬＯＷレベルの時に駆動信号Ｓ２はＨＩＧＨレベルの信号となる。ＣＰＵ３０から抵抗Ｒ５への昇圧信号Ｓ１がＨＩＧＨレベルであった場合は、電池電圧が正常値の時と同様の動作となり、パルス状の駆動信号Ｓ２の信号によって発光部１０４が間欠発光動作を行う。ＣＰＵ３０から抵抗Ｒ５への昇圧信号Ｓ１がＬＯＷレベルであった場合は、電池４０から抵抗Ｒ３、Ｒ４、Ｒ５を介して電池電圧が供給される。予め、抵抗Ｒ３、Ｒ４、Ｒ５は、昇圧信号Ｓ１がＨＩＧＨレベルの時に、抵抗Ｒ４の両端電圧が０．７Ｖ以上となるように設計が成されている。従って、抵抗Ｒ４の両端電圧が０．７Ｖ以上であるため、トランジスタＴｒ１がＯＮ状態となる。すると、電池４０からの電源は、抵抗Ｒ３、トランジスタＴｒ１、コンデンサＣ２を介して、発光部１０４に供給される。このとき、昇圧信号Ｓ１がＬＯＷレベルの時に蓄えられていたコンデンサＣ２の電荷が放電されるため、発光部１０４への供給電圧は電池電圧の２倍となる。
従って、ＣＰＵ３０からの昇圧信号Ｓ１、駆動信号Ｓ２によって、昇圧部１０２からの出力電圧が電池電圧の２倍の時、発光部１０４を発光動作させ、昇圧部１０２からの出力電圧が電池電圧の時、発光部１０４を消灯動作させることができる。
【００１５】
また、昇圧信号Ｓ１がＨＩＧＨレベルとなった時、居住者に電池寿命が短くなったことを知らせるようにしても良い。
【図面の簡単な説明】
【００１６】
【図１】本発明の実施例による住宅火災警報器の具体的な構成を示すブロック図。
【図２】本発明の実施例による住宅火災警報器の発光構成部の具体的なブロック図。
【符号の説明】
【００１７】
１０            発光構成部
１０１        電圧監視部
１０２        昇圧部
１０４        発光部
２０            受光構成部
３０            ＣＰＵ
４０            電池
【図１】
2009205583.tif 000003
【図２】
2009205583.tif 000004